(57)【要約】【課題】表示装置に表示された画像データに対する処理についての処理領域指定の簡便化を図る。【解決手段】指定された抽出レベルに応じて画像データを解析して構成要素を抽出し（Ｓ１０４）、抽出した構成要素を画像データに重ねて表示装置に表示し（Ｓ１０５）、画像データに重ねて表示された構成要素が情報入力装置を介して指示部材によって指定された場合（Ｓ１０８のＹｅｓ）、指定された構成要素に対応付けられた処理を、当該構成要素に係る画像データに対して実行する（Ｓ１０９）。これにより、あらかじめ所望のレベルの構成要素を指定しておき、情報入力装置上で表示装置に表示された画像データに対する処理を実行する場合には、その構成要素を指定するようにすれば良いことから、画像データに対する処理についての処理領域指定の簡便化を図ることができる。【選択図】        図６
2007082021.tif 000002
【特許請求の範囲】
【請求項１】
画像データを表示する表示装置に配設した情報入力装置に対する指示部材による操作に応じて前記表示装置に表示されている前記画像データに対する処理を行う画像処理装置において、
前記画像データを構成する構成要素についての抽出レベルを指定する抽出レベル指定手段と、
この抽出レベル指定手段により指定された抽出レベルに応じて前記画像データを解析して前記構成要素を抽出する構成要素抽出手段と、
この構成要素抽出手段により抽出された前記構成要素を、前記画像データに重ねて前記表示装置に表示する構成要素表示手段と、
この構成要素表示手段により前記表示装置に前記画像データに重ねて表示された前記構成要素が前記情報入力装置を介して前記指示部材によって指定された場合、指定された前記構成要素に対応付けられた処理を、当該構成要素に係る前記画像データに対して実行する処理実行手段と、
を備えることを特徴とする画像処理装置。
【請求項２】
前記構成要素表示手段は、前記構成要素を示す枠を前記画像データに重ね合わせて表示する、
ことを特徴とする請求項１記載の画像処理装置。
【請求項３】
前記構成要素表示手段は、前記構成要素内の色を変更して前記画像データに重ね合わせて表示する、
ことを特徴とする請求項１記載の画像処理装置。
【請求項４】
前記構成要素に対応付けられた処理が複数ある場合には、前記構成要素に対応付けられた処理を前記表示装置に一覧表示させ、前記情報入力装置を介した前記指示部材による指示によって所望の前記構成要素に対応付けられた処理を選択させる、
ことを特徴とする請求項１ないし３のいずれか一記載の画像処理装置。
【請求項５】
前記構成要素に対応付けられた処理は、バルーン表示にて前記表示装置に一覧表示される、
ことを特徴とする請求項４記載の画像処理装置。
【請求項６】
前記抽出レベル指定手段は、前記表示装置における表示サイズに基づいて前記画像データを構成する前記構成要素についての抽出レベルを指定する、
ことを特徴とする請求項１ないし５のいずれか一記載の画像処理装置。
【請求項７】
前記抽出レベル指定手段は、編集機能に応じて前記画像データを構成する前記構成要素についての抽出レベルを指定する、
ことを特徴とする請求項１ないし５のいずれか一記載の画像処理装置。
【請求項８】
画像データを表示する表示装置に配設した情報入力装置に対する指示部材による操作に応じて前記表示装置に表示されている前記画像データに対する処理をコンピュータに実行させるプログラムであって、
前記画像データを構成する構成要素についての抽出レベルを指定する抽出レベル指定機能と、
この抽出レベル指定機能により指定された抽出レベルに応じて前記画像データを解析して前記構成要素を抽出する構成要素抽出機能と、
この構成要素抽出機能により抽出された前記構成要素を、前記画像データに重ねて前記表示装置に表示する構成要素表示機能と、
この構成要素表示機能により前記表示装置に前記画像データに重ねて表示された前記構成要素が前記情報入力装置を介して前記指示部材によって指定された場合、指定された前記構成要素に対応付けられた処理を、当該構成要素に係る前記画像データに対して実行する処理実行機能と、
を前記コンピュータに実行させることを特徴とするプログラム。
【請求項９】
前記構成要素表示機能は、前記構成要素を示す枠を前記画像データに重ね合わせて表示する、
ことを特徴とする請求項８記載のプログラム。
【請求項１０】
前記構成要素表示機能は、前記構成要素内の色を変更して前記画像データに重ね合わせて表示する、
ことを特徴とする請求項８記載のプログラム。
【請求項１１】
前記構成要素に対応付けられた処理が複数ある場合には、前記構成要素に対応付けられた処理を前記表示装置に一覧表示させ、前記情報入力装置を介した前記指示部材による指示によって所望の前記構成要素に対応付けられた処理を選択させる、
ことを特徴とする請求項８ないし１０のいずれか一記載のプログラム。
【請求項１２】
前記構成要素に対応付けられた処理は、バルーン表示にて前記表示装置に一覧表示させる、
ことを特徴とする請求項１１記載のプログラム。
【請求項１３】
前記抽出レベル指定機能は、前記表示装置における表示サイズに基づいて前記画像データを構成する前記構成要素についての抽出レベルを指定する、
ことを特徴とする請求項８ないし１２のいずれか一記載のプログラム。
【請求項１４】
前記抽出レベル指定機能は、編集機能に応じて前記画像データを構成する前記構成要素についての抽出レベルを指定する、
ことを特徴とする請求項８ないし１２のいずれか一記載のプログラム。
【請求項１５】
画像データを表示する表示装置に配設した情報入力装置に対する指示部材による操作に応じて前記表示装置に表示されている前記画像データに対する処理を行う画像処理装置における画像データ処理方法であって、
前記画像データを構成する構成要素についての抽出レベルを指定する抽出レベル指定工程と、
この抽出レベル指定工程により指定された抽出レベルに応じて前記画像データを解析して前記構成要素を抽出する構成要素抽出工程と、
この構成要素抽出工程により抽出された前記構成要素を、前記画像データに重ねて前記表示装置に表示する構成要素表示工程と、
この構成要素表示工程により前記表示装置に前記画像データに重ねて表示された前記構成要素が前記情報入力装置を介して前記指示部材によって指定された場合、指定された前記構成要素に対応付けられた処理を、当該構成要素に係る前記画像データに対して実行する処理実行工程と、
を含むことを特徴とする画像データ処理方法。
【請求項１６】
前記構成要素表示工程は、前記構成要素を示す枠を前記画像データに重ね合わせて表示する、
ことを特徴とする請求項１５記載の画像データ処理方法。
【請求項１７】
前記構成要素表示工程は、前記構成要素内の色を変更して前記画像データに重ね合わせて表示する、
ことを特徴とする請求項１５記載の画像データ処理方法。
【請求項１８】
前記構成要素に対応付けられた処理が複数ある場合には、前記構成要素に対応付けられた処理を前記表示装置に一覧表示させ、前記情報入力装置を介した前記指示部材による指示によって所望の前記構成要素に対応付けられた処理を選択させる、
ことを特徴とする請求項１５ないし１７のいずれか一記載の画像データ処理方法。
【請求項１９】
前記構成要素に対応付けられた処理は、バルーン表示にて前記表示装置に一覧表示される、
ことを特徴とする請求項１８記載の画像データ処理方法。
【請求項２０】
前記抽出レベル指定工程は、前記表示装置における表示サイズに基づいて前記画像データを構成する前記構成要素についての抽出レベルを指定する、
ことを特徴とする請求項１５ないし１９のいずれか一記載の画像データ処理方法。
【請求項２１】
前記抽出レベル指定工程は、編集機能に応じて前記画像データを構成する前記構成要素についての抽出レベルを指定する、
ことを特徴とする請求項１５ないし１９のいずれか一記載の画像データ処理方法。
【発明の詳細な説明】
【技術分野】
【０００１】
本発明は、画像処理装置、プログラムおよび画像データ処理方法に関する。
【背景技術】
【０００２】
従来、原稿画像を読み取るスキャナ、スキャナで読み取った原稿画像を印刷する複写機、外部から入力された画像データを印刷するプリンタやファクシミリ装置、あるいは、これらの機能を兼ね備えた複合機などの画像処理装置が用いられている。
【０００３】
近年、この種の画像処理装置にあっては、原稿画像中の各種画像領域の中から自由に画像領域を選択することができ、かつ、選択された画像領域毎に画像特性の調整内容を指定することができるようにしたものが提案されている（例えば、特許文献１参照）。
【０００４】
また、スキャナで読み取った原稿画像を画像処理装置の操作パネルの表示部に表示し、表示された原稿画像中の画像領域について、領域削除、領域移動、領域反転等の編集作業を行うことも考えられている。
【０００５】
【特許文献１】特開２００２−１１２０２２号公報
【発明の開示】
【発明が解決しようとする課題】
【０００６】
ところで、上述したような画像処理（濃度／色の調整など）や編集作業（領域削除、領域移動、領域反転等）においては、ＰＣ（Personal Computer）のように表示部が広く、多くの情報を表示することができ、ポインティングデバイスとしてマウスのように位置を細かく指定できるものを持っている場合に、領域指定を容易に行うことができる。
【０００７】
しかしながら、複合機などの画像処理装置の操作パネルのように、表示部が狭くそれほど多くの情報が表示できず、表示部上のタッチパネルを指で指定するために細かい位置指定が困難な装置では、領域指定の作業が難しいという問題がある。
【０００８】
本発明は、上記に鑑みてなされたものであって、表示装置に表示された画像データに対する処理についての処理領域指定の簡便化を図ることを目的とする。
【課題を解決するための手段】
【０００９】
上述した課題を解決し、目的を達成するために、請求項１にかかる発明の画像処理装置は、画像データを表示する表示装置に配設した情報入力装置に対する指示部材による操作に応じて前記表示装置に表示されている前記画像データに対する処理を行う画像処理装置において、前記画像データを構成する構成要素についての抽出レベルを指定する抽出レベル指定手段と、この抽出レベル指定手段により指定された抽出レベルに応じて前記画像データを解析して前記構成要素を抽出する構成要素抽出手段と、この構成要素抽出手段により抽出された前記構成要素を、前記画像データに重ねて前記表示装置に表示する構成要素表示手段と、この構成要素表示手段により前記表示装置に前記画像データに重ねて表示された前記構成要素が前記情報入力装置を介して前記指示部材によって指定された場合、指定された前記構成要素に対応付けられた処理を、当該構成要素に係る前記画像データに対して実行する処理実行手段と、を備える。
【００１０】
また、請求項２にかかる発明は、請求項１記載の画像処理装置において、前記構成要素表示手段は、前記構成要素を示す枠を前記画像データに重ね合わせて表示する。
【００１１】
また、請求項３にかかる発明は、請求項１記載の画像処理装置において、前記構成要素表示手段は、前記構成要素内の色を変更して前記画像データに重ね合わせて表示する。
【００１２】
また、請求項４にかかる発明は、請求項１ないし３のいずれか一記載の画像処理装置において、前記構成要素に対応付けられた処理が複数ある場合には、前記構成要素に対応付けられた処理を前記表示装置に一覧表示させ、前記情報入力装置を介した前記指示部材による指示によって所望の前記構成要素に対応付けられた処理を選択させる。
【００１３】
また、請求項５にかかる発明は、請求項４記載の画像処理装置において、前記構成要素に対応付けられた処理は、バルーン表示にて前記表示装置に一覧表示される。
【００１４】
また、請求項６にかかる発明は、請求項１ないし５のいずれか一記載の画像処理装置において、前記抽出レベル指定手段は、前記表示装置における表示サイズに基づいて前記画像データを構成する前記構成要素についての抽出レベルを指定する。
【００１５】
また、請求項７にかかる発明は、請求項１ないし５のいずれか一記載の画像処理装置において、前記抽出レベル指定手段は、編集機能に応じて前記画像データを構成する前記構成要素についての抽出レベルを指定する。
【００１６】
また、請求項８にかかる発明のプログラムは、画像データを表示する表示装置に配設した情報入力装置に対する指示部材による操作に応じて前記表示装置に表示されている前記画像データに対する処理をコンピュータに実行させるプログラムであって、前記画像データを構成する構成要素についての抽出レベルを指定する抽出レベル指定機能と、この抽出レベル指定機能により指定された抽出レベルに応じて前記画像データを解析して前記構成要素を抽出する構成要素抽出機能と、この構成要素抽出機能により抽出された前記構成要素を、前記画像データに重ねて前記表示装置に表示する構成要素表示機能と、この構成要素表示機能により前記表示装置に前記画像データに重ねて表示された前記構成要素が前記情報入力装置を介して前記指示部材によって指定された場合、指定された前記構成要素に対応付けられた処理を、当該構成要素に係る前記画像データに対して実行する処理実行機能と、を前記コンピュータに実行させる。
【００１７】
また、請求項９にかかる発明は、請求項８記載のプログラムにおいて、前記構成要素表示機能は、前記構成要素を示す枠を前記画像データに重ね合わせて表示する。
【００１８】
また、請求項１０にかかる発明は、請求項８記載のプログラムにおいて、前記構成要素表示機能は、前記構成要素内の色を変更して前記画像データに重ね合わせて表示する。
【００１９】
また、請求項１１にかかる発明は、請求項８ないし１０のいずれか一記載のプログラムにおいて、前記構成要素に対応付けられた処理が複数ある場合には、前記構成要素に対応付けられた処理を前記表示装置に一覧表示させ、前記情報入力装置を介した前記指示部材による指示によって所望の前記構成要素に対応付けられた処理を選択させる。
【００２０】
また、請求項１２にかかる発明は、請求項１１記載のプログラムにおいて、前記構成要素に対応付けられた処理は、バルーン表示にて前記表示装置に一覧表示させる。
【００２１】
また、請求項１３にかかる発明は、請求項８ないし１２のいずれか一記載のプログラムにおいて、前記抽出レベル指定機能は、前記表示装置における表示サイズに基づいて前記画像データを構成する前記構成要素についての抽出レベルを指定する。
【００２２】
また、請求項１４にかかる発明は、請求項８ないし１２のいずれか一記載のプログラムにおいて、前記抽出レベル指定機能は、編集機能に応じて前記画像データを構成する前記構成要素についての抽出レベルを指定する。
【００２３】
また、請求項１５にかかる発明の画像データ処理方法は、画像データを表示する表示装置に配設した情報入力装置に対する指示部材による操作に応じて前記表示装置に表示されている前記画像データに対する処理を行う画像処理装置における画像データ処理方法であって、前記画像データを構成する構成要素についての抽出レベルを指定する抽出レベル指定工程と、この抽出レベル指定工程により指定された抽出レベルに応じて前記画像データを解析して前記構成要素を抽出する構成要素抽出工程と、この構成要素抽出工程により抽出された前記構成要素を、前記画像データに重ねて前記表示装置に表示する構成要素表示工程と、この構成要素表示工程により前記表示装置に前記画像データに重ねて表示された前記構成要素が前記情報入力装置を介して前記指示部材によって指定された場合、指定された前記構成要素に対応付けられた処理を、当該構成要素に係る前記画像データに対して実行する処理実行工程と、を含む。
【００２４】
また、請求項１６にかかる発明は、請求項１５記載の画像データ処理方法において、前記構成要素表示工程は、前記構成要素を示す枠を前記画像データに重ね合わせて表示する。
【００２５】
また、請求項１７にかかる発明は、請求項１５記載の画像データ処理方法において、前記構成要素表示工程は、前記構成要素内の色を変更して前記画像データに重ね合わせて表示する。
【００２６】
また、請求項１８にかかる発明は、請求項１５ないし１７のいずれか一記載の画像データ処理方法において、前記構成要素に対応付けられた処理が複数ある場合には、前記構成要素に対応付けられた処理を前記表示装置に一覧表示させ、前記情報入力装置を介した前記指示部材による指示によって所望の前記構成要素に対応付けられた処理を選択させる。
【００２７】
また、請求項１９にかかる発明は、請求項１８記載の画像データ処理方法において、前記構成要素に対応付けられた処理は、バルーン表示にて前記表示装置に一覧表示される。
【００２８】
また、請求項２０にかかる発明は、請求項１５ないし１９のいずれか一記載の画像データ処理方法において、前記抽出レベル指定工程は、前記表示装置における表示サイズに基づいて前記画像データを構成する前記構成要素についての抽出レベルを指定する。
【００２９】
また、請求項２１にかかる発明は、請求項１５ないし１９のいずれか一記載の画像データ処理方法において、前記抽出レベル指定工程は、編集機能に応じて前記画像データを構成する前記構成要素についての抽出レベルを指定する。
【発明の効果】
【００３０】
請求項１にかかる発明によれば、指定された抽出レベルに応じて画像データを解析して構成要素を抽出し、抽出した構成要素を画像データに重ねて表示装置に表示し、画像データに重ねて表示された構成要素が情報入力装置を介して指示部材によって指定された場合、指定された構成要素に対応付けられた処理を、当該構成要素に係る画像データに対して実行することにより、あらかじめ所望のレベルの構成要素を指定しておき、情報入力装置上で表示装置に表示された画像データに対する処理を実行する場合には、その構成要素を指定するようにすれば良いことから、画像データに対する処理についての処理領域指定の簡便化を図ることができるという効果を奏する。
【００３１】
また、請求項２にかかる発明によれば、構成要素を示す枠を画像データに重ね合わせて表示することにより、領域指定を直感的に行うことができるという効果を奏する。
【００３２】
また、請求項３にかかる発明によれば、構成要素内の色を変更して画像データに重ね合わせて表示することにより、領域指定を直感的に行うことができるという効果を奏する。
【００３３】
また、請求項４にかかる発明によれば、構成要素に対応付けられた処理が複数ある場合には、構成要素に対応付けられた処理を表示装置に一覧表示させ、情報入力装置を介した指示部材による指示によって所望の構成要素に対応付けられた処理を選択させることにより、所望の構成要素にかかる画像データに対して所望の処理を実行することができるという効果を奏する。
【００３４】
また、請求項５にかかる発明によれば、構成要素に対応付けられた処理は、バルーン表示にて表示装置に一覧表示されることにより、処理選択を容易に行わせることができるという効果を奏する。
【００３５】
また、請求項６にかかる発明によれば、表示装置における表示サイズに基づいて画像データを構成する構成要素についての抽出レベルを指定することにより、さらに画像データに対する処理についての処理領域指定の簡便化を図ることができるという効果を奏する。
【００３６】
また、請求項７にかかる発明によれば、編集機能に応じて画像データを構成する構成要素についての抽出レベルを指定することにより、さらに画像データに対する処理についての処理領域指定の簡便化を図ることができるという効果を奏する。
【００３７】
また、請求項８にかかる発明によれば、指定された抽出レベルに応じて画像データを解析して構成要素を抽出し、抽出した構成要素を画像データに重ねて表示装置に表示し、画像データに重ねて表示された構成要素が情報入力装置を介して指示部材によって指定された場合、指定された構成要素に対応付けられた処理を、当該構成要素に係る画像データに対して実行することにより、あらかじめ所望のレベルの構成要素を指定しておき、情報入力装置上で表示装置に表示された画像データに対する処理を実行する場合には、その構成要素を指定するようにすれば良いことから、画像データに対する処理についての処理領域指定の簡便化を図ることができるという効果を奏する。
【００３８】
また、請求項９にかかる発明によれば、構成要素を示す枠を画像データに重ね合わせて表示することにより、領域指定を直感的に行うことができるという効果を奏する。
【００３９】
また、請求項１０にかかる発明によれば、構成要素内の色を変更して画像データに重ね合わせて表示することにより、領域指定を直感的に行うことができるという効果を奏する。
【００４０】
また、請求項１１にかかる発明によれば、構成要素に対応付けられた処理が複数ある場合には、構成要素に対応付けられた処理を表示装置に一覧表示させ、情報入力装置を介した指示部材による指示によって所望の構成要素に対応付けられた処理を選択させることにより、所望の構成要素にかかる画像データに対して所望の処理を実行することができるという効果を奏する。
【００４１】
また、請求項１２にかかる発明によれば、構成要素に対応付けられた処理は、バルーン表示にて表示装置に一覧表示されることにより、処理選択を容易に行わせることができるという効果を奏する。
【００４２】
また、請求項１３にかかる発明によれば、表示装置における表示サイズに基づいて画像データを構成する構成要素についての抽出レベルを指定することにより、さらに画像データに対する処理についての処理領域指定の簡便化を図ることができるという効果を奏する。
【００４３】
また、請求項１４にかかる発明によれば、編集機能に応じて画像データを構成する構成要素についての抽出レベルを指定することにより、さらに画像データに対する処理についての処理領域指定の簡便化を図ることができるという効果を奏する。
【００４４】
また、請求項１５にかかる発明によれば、指定された抽出レベルに応じて画像データを解析して構成要素を抽出し、抽出した構成要素を画像データに重ねて表示装置に表示し、画像データに重ねて表示された構成要素が情報入力装置を介して指示部材によって指定された場合、指定された構成要素に対応付けられた処理を、当該構成要素に係る画像データに対して実行することにより、あらかじめ所望のレベルの構成要素を指定しておき、情報入力装置上で表示装置に表示された画像データに対する処理を実行する場合には、その構成要素を指定するようにすれば良いことから、画像データに対する処理についての処理領域指定の簡便化を図ることができるという効果を奏する。
【００４５】
また、請求項１６にかかる発明によれば、構成要素を示す枠を画像データに重ね合わせて表示することにより、領域指定を直感的に行うことができるという効果を奏する。
【００４６】
また、請求項１７にかかる発明によれば、構成要素内の色を変更して画像データに重ね合わせて表示することにより、領域指定を直感的に行うことができるという効果を奏する。
【００４７】
また、請求項１８にかかる発明によれば、構成要素に対応付けられた処理が複数ある場合には、構成要素に対応付けられた処理を表示装置に一覧表示させ、情報入力装置を介した指示部材による指示によって所望の構成要素に対応付けられた処理を選択させることにより、所望の構成要素にかかる画像データに対して所望の処理を実行することができるという効果を奏する。
【００４８】
また、請求項１９にかかる発明によれば、構成要素に対応付けられた処理は、バルーン表示にて表示装置に一覧表示されることにより、処理選択を容易に行わせることができるという効果を奏する。
【００４９】
また、請求項２０にかかる発明によれば、表示装置における表示サイズに基づいて画像データを構成する構成要素についての抽出レベルを指定することにより、さらに画像データに対する処理についての処理領域指定の簡便化を図ることができるという効果を奏する。
【００５０】
また、請求項２１にかかる発明によれば、編集機能に応じて画像データを構成する構成要素についての抽出レベルを指定することにより、さらに画像データに対する処理についての処理領域指定の簡便化を図ることができるという効果を奏する。
【発明を実施するための最良の形態】
【００５１】
以下に添付図面を参照して、この発明にかかる画像処理装置、プログラムおよび画像データ処理方法の最良な実施の形態を詳細に説明する。
【００５２】
［第１の実施の形態］
本発明の第１の実施の形態を図１ないし図７に基づいて説明する。本実施の形態は画像処理装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Multi Function Peripheral）と称される複合機を適用した例である。
【００５３】
図１は、本発明の第１の実施の形態にかかる複合機１０の機能ブロック図である。図１に示す複合機１０は、スキャナ１１、ＡＤＦ（オート・ドキュメント・フィーダ）１１１、スキャナコントローラ１１２、画像記憶部１２、画像処理部１３、プリンタ１４、プリンタコントローラ１４２、仕上げ処理部１４１、情報入出力装置である操作表示部１５、操作表示制御部１５１、システム制御部１６、および通信制御部１７を備える。また、複合機１０は、通信制御部１７を介してネットワーク１８と接続されている。そして、複合機１０は、原稿１９の画像を読み取って画像処理を施した後、印刷物２０として出力する。さらに、複合機１０は、画像解析部２１と特定領域抽出部２２とを備えている。
【００５４】
システム制御部１６は、各構成部と接続されていて、複合機１０全体の制御を行うものである。このシステム制御部１６は、不図示のＣＰＵ（Central Processing Unit）、ＲＯＭ（Read Only Memory）、ＲＡＭ（Random Access Memory）などから構成されており、ＣＰＵがＲＯＭに格納されたプログラムに基づいてＲＡＭのワーク領域を利用しながら動作することにより、各種処理が実行される。
【００５５】
なお、複合機１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（digital Versatile Disk）等のコンピュータで読み取り可能な記録媒体に記録されて提供されてもよい。この場合、システム制御部１６のＣＰＵが上記記憶媒体からプログラムを読み出して主記憶装置（図示せず）上にロードすることで、複合機１０に各種の機能を実現させる。また、プログラムを、インターネット等のネットワーク１８に接続されたコンピュータ上に格納し、ネットワーク経由でダウンロードさせることにより提供するようにしても良い。または、プログラムをインターネット等のネットワーク経由で提供若しくは配布するようにしても良い。
【００５６】
通信制御部１７は、ＬＡＮ（ローカル・エリア・ネットワーク）やインターネットなどのネットワーク１８と接続され、通信プロトコルに従ってネットワークに接続された他の機器との間で画像データや制御データ等のやり取りを行うものである。
【００５７】
スキャナコントローラ１１２は、システム制御部１６の命令を受け、スキャナ１１を制御する。
【００５８】
スキャナ１１は、スキャナコントローラ１１２に制御され、原稿１９のイメージをデジタル画像データに変換する。なお、ＡＤＦ１１１は、セットされた複数ページの原稿をスキャナ１１の読取位置に１枚ずつ順に繰り出すことができるので、このＡＤＦ１１１を用いることにより、スキャナ１１は複数ページの原稿を連続して自動的に読み込みを行うことができる。また、ＡＤＦ１１１は、用紙の片面に印刷された片面原稿だけでなく、両面に印刷された両面原稿を反転させてスキャナ１１に送り出すことができるので、スキャナ１１に両面原稿を読み込ませることが可能である。
【００５９】
画像記憶部１２は、システム制御部１６の命令を受け、スキャナ１１で読み取った画像データや、ネットワーク１８を介して外部から入力された画像データ等を一時的に保存しておくバッファメモリである。本実施の形態の複合機１０は、自身の備えるスキャナ１１から読み取った画像データ及び、ネットワーク１８を介するなどして外部から入力された画像データのいずれをも処理して画像形成することができる。
【００６０】
画像処理部１３は、スキャナ１１から送られて画像記憶部１２に一時的に保存された多値データに対して、システム制御部１６の命令を受け、γ補正やＭＴＦ補正処理等を施した後、スライス処理やディザ処理のような階調処理を施して２値（または多値）化処理を施す。また、画像処理部１３は、ユーザが設定した機能に対応した各種の画像処理（拡大／縮小、濃度／色の調整など）、画像領域編集処理（領域削除、領域移動、領域反転など）やレイアウト加工処理（両面印刷／片面印刷、集約印刷、余白サイズの調整など）を行う。
【００６１】
画像処理部１３は、座標情報取得部１３１と画面情報生成部１３２とを備える。座標情報取得部１３１は、画像記憶部１２に格納された入力画像に関する座標情報を取得する。画面情報生成部１３２は、入力した画像データに従って、後述する表示パネル１５ｂに表示する仕上がり予想画像である仕上がり予想画像情報を生成する。ここで、画面情報生成部１３２が生成する情報を仕上がり予想画像情報と称するのは、以下に述べるように、印刷する仕上がり予想画像および仕上がり予想画像に関連する処理項目の入力画面のための情報を生成するので、その２つをまとめて仕上がり予想画像情報と称する。
【００６２】
プリンタコントローラ１４２は、システム制御部１６の命令を受けてプリンタ１４を制御する。
【００６３】
プリンタ１４は、プリンタコントローラ１４２に制御され、画像処理部１３で処理された画像データに基づいて光ビームを偏向走査させ、感光体上に形成した静電潜像にトナーを使って現像し、生成されたトナー画像を転写紙に転写して、定着処理を行う電子写真技術を用いたプリンタである。なお、プリンタ１４の印刷方式は、電子写真方式のほか、インクジェット方式、昇華型熱転写方式、銀塩写真方式、直接感熱記録方式、溶融型熱転写方式など、様々な方式を用いることができる。
【００６４】
このプリンタ１４は、仕上げ処理部１４１を搭載している。仕上げ処理部１４１は、自動設定あるいはユーザによる設定を受け付けて、印刷処理が施された印刷物２０を部数やページ単位で仕分けを行うソート処理、複数枚の印刷媒体を揃えてステープルで綴じるステープル処理、あるいは、複数枚の印刷媒体をバインダーやファイルに綴じるためのパンチ穴を空けるパンチ穴処理といった仕上げ処理を行う。
【００６５】
操作表示制御部１５１は、システム制御部１６の命令を受けて操作表示部１５の入出力を制御する。例えば、操作表示制御部１５１は、画像処理部１３によって処理されたデータを、操作表示部１５が備えている情報入力装置であるタッチパネル１５ａおよび表示装置である表示パネル１５ｂに出力制御する。より具体的には、操作表示制御部１５１は、生成された仕上がり予想画像情報に従って、表示パネル１５ｂに仕上がり予想画像を表示させる。また、操作表示制御部１５１は、タッチパネル１５ａからの入力制御を行う。
【００６６】
操作表示部１５は、操作表示制御部１５１に制御され、タッチパネル１５ａを介して設定内容の入力を受け付け、仕上がり予想画像や画面の仕上げを設定する設定内容のメニュー項目を表示パネル１５ｂに表示する。
【００６７】
また、操作表示部１５は、複合機１０で実行したい機能を設定画面のメニュー項目として表示し、表示されたメニュー項目の中からユーザによる設定入力を受け付けるためのものである。例えば、操作表示部１５は、原稿の状態に応じたスキャナ１１における読み取り条件の設定、読み取った画像データを加工する画像処理部１３における設定、プリンタ１４における印刷条件の設定、あるいは、印刷後の印刷物に対してソート、ステープル、パンチ穴などの仕上げ処理を行う仕上げ処理部１４１などの設定を受け付けるものである。
【００６８】
表示パネル１５ｂとタッチパネル１５ａは図面上別々に記載されているが、ここでは一体的に構成する。表示パネル１５ｂが指示部材である操作者の指やスタイラスペンなど（以下ポインタと記す）によって接触される場合、同時にタッチパネル１５ａは接触入力を受け付ける。操作者の指やスタイラスペンなどによる接触によって、タッチ入力が受け付けられる。ここで、タッチパネル１５ａは、パネル上に、電気的あるいは磁気的にポインタの接触する位置を検出する。なお、表示パネル１５ｂは、複合機１０が備える専有の表示装置を用いても良い。
【００６９】
図２は、複合機１０が画像データを入力して生成した仕上がり予想画像の一例を示す模式図である。タッチパネル１５ａの表示領域４０１の内部に、仕上がりイメージ４０２が表示される。
【００７０】
ここで、図２に示すように、操作者はポインタを用いて位置４０３の部分に接触したものとする。操作者が、表示パネル１５ｂに表示された仕上がり予想画像を見ながらポインタで接触することによって、タッチパネル１５ａは、表示された仕上がり予想画像上の印刷物の仕上がり状態における空間的位置である位置情報の入力を受け付ける。このような場合において、座標情報取得部１３１は、タッチパネル１５ａによって受け付けられた位置情報を解析し、ポインタの接触する画像上での座標情報を取得する。
【００７１】
画像解析部２１は、画像記憶部１２内に記憶された画像データに対して光学式文字認識を行うＯＣＲ（オプティカル・キャラクタ・レコグニッション）処理を実行し、原稿画像の画像属性を表す様々な画像特性値を算出するものである。この画像特性値は、画像関係、レイアウト関係、ＡＤＦ（自動原稿搬送）関係の３つに大きく分けることが可能である。例えば、画像関係では、画像種類（文字領域、写真領域、イラストあるいはそれらの混合）、使用色（原稿で使用している色情報であり、モノクロ／カラーの区別）、原稿濃度、エッジ量、画素密度（原稿全体における有画素部分の面積比率）、使用文字サイズなどを数値化したものである。
【００７２】
例えば、画像種類の判定には、特開平５−２３３８７３号公報、特開平６−４７０４号公報などで提案されている方法も用いることができる。また、文字でない部分である非文字要素（罫線・写真・図など）の抽出手法としては、例えば特開平６−２００９２号公報に記載されている公知技術を用いることができる。概略的には、黒画素連結成分を、その大きさ、形状（縦横比等）等によって文字候補、縦横セパレータ（本来の黒画素からなる領域分割線）、写真または図等に分類判別する。表の枠線の抽出手法としては、例えば特開２００１−２６６０６８号公報に記載されている公知技術を用いることができる。概略的には、黒画素の連結成分から外接矩形を抽出し、抽出した外接矩形について文字候補の矩形か枠候補の矩形かの分類を行う。そして、文字候補に分類された矩形に対して、その矩形の位置を元画像上で白で埋め、枠候補として残った矩形の枠を抽出し、抽出した枠から表の枠線を抽出する。
【００７３】
また、レイアウト関係では、原稿方向（原稿の上下左右の位置関係情報）、原稿サイズ、上下左右の余白寸法、レイアウト情報（段組み原稿か否か）などを数値化したものである。さらに、ＡＤＦ関係では、原稿のページ数、原稿面（両面原稿／片面原稿の区別）などを数値化したものである。なお、これらの特性値のうち、定量的な値に関しては、平均値や最大値、最小値といった統計的な値も併せて算出して、利用することが可能である。
【００７４】
特定領域抽出部２２は、画像解析部２１で算出された各種の画像特性値に基づいて各種特定領域の抽出を行う。特定領域抽出部２２によって抽出された画像データを構成する構成要素である特定領域は、仕上がり予想画像とともに表示パネル１５ｂに表示され、操作者に提示される。操作者への提示は、図３に示すように仕上がり予想画像上に特定領域を示す枠を重ね合わせて表示する、または特定領域内の色を変更して仕上がり予想画像上に重ね合わせて表示することにより行われる。これにより、領域指定を直感的に行うことができる。より詳細には、文字領域は赤色の枠、写真領域は緑色の枠など色を変えて表示したり、特定領域内の画像のＲＧＢ値を変更することにより異なる特定領域であることを表示する。なお、特定領域の表示は、操作者が特定領域抽出部２２で選択を行う前に表示しても構わないし、ユーザが仕上がり予想画像上の座標を指示したときに、その座標に相当する特定領域を特定領域抽出部２２で抽出して表示しても構わない。
【００７５】
ところで、本実施の形態においては、特定領域をレベル分けしており、特定領域抽出部２２は、指定されたレベル（抽出レベル）に応じて特定領域を抽出するようにしている。すなわち、操作表示部１５は、特定領域抽出部２２での特定領域の抽出の際のレベル指定を受け付け、指定された抽出レベルが操作表示制御部１５１及びシステム制御部１６を介して特定領域抽出部２２に出力されるものである。
【００７６】
ここで、指定されたレベルに応じた特定領域の抽出例について説明する。例えば、「レベル１」が指定されている場合には、図４に示すように、文字領域と写真領域とがそれぞれ抽出される。一方、「レベル２」が指定されている場合には、図５に示すように、文字領域中の段落領域と写真領域とがそれぞれ抽出される。文字領域中の段落領域は、例えば、読点“。”で区別可能である。なお、例示した領域以外にも、単語、文字、絵、表、仕切り線などの各種領域の抽出も適宜設定可能である。このように構成要素の区切り方により領域が変化することになる。
【００７７】
次に、システム制御部１６のＣＰＵがＲＯＭに格納されたプログラムに基づいて動作することにより実現される画像形成処理について説明する。
【００７８】
図６は、本実施の形態に係る画像形成処理の流れを示すフローチャートである。図６に示すように、画像形成処理は、入力された画像データを画像記憶部１２に記憶させ（ステップＳ１０１）、表示パネル１５ｂに表示する予想画像情報（画像データ）を画面情報生成部１３２に生成させ（ステップＳ１０２）、予想画像情報に基づく仕上がり予想画像を表示パネル１５ｂに表示させるとともに（ステップＳ１０３）、特定領域抽出部２２によって特定領域を抽出させ（ステップＳ１０４）、抽出された特定領域を仕上がり予想画像とともに表示パネル１５ｂに表示させる（ステップＳ１０５）。ここに、構成要素抽出手段及び構成要素表示手段の機能が実行される。
【００７９】
ここで、ステップＳ１０４において抽出される特定領域は、操作表示部１５におい既にて受け付けられているレベル指定に応じた特定領域が指定されている。例えば、表示パネル１５ｂに表示されている仕上がり予想画像の文字色を変更する場合について説明する。原稿が文書画像であった場合には、“文字”、“単語”、“文字行”、“段落領域”、“文字領域”というような各種の画像属性を表す特定領域のいずれかが、指定されたレベルに応じて指定される。
【００８０】
ここで、操作者が印刷を実行すると判断した場合にタッチパネル１５ａの実行ボタンを押下するなどにより、印刷命令を受け付けたと判断した場合には（ステップＳ１０６のＹｅｓ）、プリンタ１４に印刷を実行させ、仕上げ処理部１４１に仕上げ処理を施させる（ステップＳ１１０）。
【００８１】
一方、印刷命令を受け付けたと判断しない場合に（ステップＳ１０６のＮｏ）、操作者がタッチパネル１５ａに触れて接触入力を行い、座標情報取得部１３１が座標情報を取得した場合には（ステップＳ１０７のＹｅｓ）、取得した座標情報が仕上がり予想画像とともに表示パネル１５ｂに表示されている特定領域であるか否かを判断する（ステップＳ１０８）。
【００８２】
取得した座標情報が仕上がり予想画像とともに表示パネル１５ｂに表示されている特定領域でない場合には（ステップＳ１０８のＮｏ）、ステップＳ１０６に戻る。
【００８３】
一方、取得した座標情報が仕上がり予想画像とともに表示パネル１５ｂに表示されている特定領域である場合には（ステップＳ１０８のＹｅｓ）、特定領域に対応付けられた処理を実行し（ステップＳ１０９：処理実行手段）、ステップＳ１０６に戻る。特定領域に対応付けられた処理とは、例えば仕上がり予想画像の文字色を変更する処理や特定領域の削除、拡大／縮小などの処理である。
【００８４】
なお、特定領域に対応付けられた処理が複数ある場合には、図７に示すように、特定領域に対応付けられた処理を一覧表示したバルーン表示Ｘを表示パネル１５ｂに表示させ、操作者に所望の特定領域に対応付けられた処理を選択させるようにすれば良い。これにより、所望の構成要素にかかる画像データに対して所望の処理を実行することができる。また、構成要素に対応付けられた処理は、バルーン表示にて表示パネル１５ｂに一覧表示されることにより、処理選択を容易に行わせることができる。
【００８５】
その後、操作者が印刷を実行すると判断した場合にタッチパネル１５ａの実行ボタンを押下するなどにより、印刷命令を受け付けたと判断した場合には（ステップＳ１０６のＹｅｓ）、プリンタ１４に印刷を実行させ、仕上げ処理部１４１に仕上げ処理を施させる（ステップＳ１１０）。
【００８６】
このように本実施の形態によれば、指定された抽出レベルに応じて画像データを解析して構成要素を抽出し、抽出した構成要素を画像データに重ねて表示パネル１５ｂに表示し、画像データに重ねて表示された構成要素がタッチパネル１５ａを介してポインタによって指定された場合、指定された構成要素に対応付けられた処理を、当該構成要素に係る画像データに対して実行することにより、あらかじめ所望のレベルの構成要素を指定しておき、タッチパネル１５ａ上で表示パネル１５ｂに表示された画像データに対する処理を実行する場合には、その構成要素を指定するようにすれば良いことから、画像データに対する処理についての処理領域指定の簡便化を図ることができる。
【００８７】
［第２の実施の形態］
次に、本発明の第２の実施の形態を図８および図９に基づいて説明する。なお、前述した第１の実施の形態と同じ部分は同じ符号で示し説明も省略する。
【００８８】
本実施の形態は、特定領域抽出部２２で抽出する特定領域の指定（すなわち、レベルの指定）を、表示パネル１５ｂにおける表示サイズで切り替えるようにしたものである。
【００８９】
図８は、本実施の形態に係る画像形成処理の流れを示すフローチャートである。図８に示すように、画像形成処理は、入力された画像データを画像記憶部１２に記憶させ（ステップＳ２０１）、表示パネル１５ｂに表示する予想画像情報を画面情報生成部１３２に生成させ（ステップＳ２０２）、予想画像情報に基づく仕上がり予想画像を表示パネル１５ｂに表示させるとともに（ステップＳ２０３）、表示パネル１５ｂにおける表示サイズに基づいて特定領域抽出部２２で抽出する特定領域の指定（すなわち、レベルの指定）を行った後（ステップＳ２０４）、特定領域抽出部２２によって特定領域を抽出させ（ステップＳ２０５）、抽出された特定領域を仕上がり予想画像とともに表示パネル１５ｂに表示させる（ステップＳ２０６）。ここに、構成要素抽出手段及び構成要素表示手段の機能が実行される。
【００９０】
ここで、ステップＳ２０４における特定領域抽出部２２で抽出する特定領域の指定（すなわち、レベルの指定）方法について説明する。本実施の形態においては、表示サイズとその時に表示される特定領域の対応を、図９に示すようなテーブルＴ１に従って決定する。テーブルＴ１によれば、表示サイズが１００％の場合には特定領域として“段落”、“表”、“絵”、“写真”、“仕切り線”が指定され、表示サイズが１２５％の場合には特定領域として“文章”のみが指定され、表示サイズが１５０％の場合には特定領域として“単語”のみが指定され、表示サイズが１７５％の場合には特定領域として“文字”のみが指定されている。すなわち、図９に示すようなテーブルＴ１によれば、表示サイズが拡大されればされる程、特定領域として細かな領域が指定されることになる。なお、操作開始時には、表示サイズの初期値として、１００％が設定されている。
【００９１】
ここで、操作者が表示パネル１５ｂにおける抽出された特定領域及び仕上がり予想画像が小さいと判断した場合に、画面上に用意されている変倍ボタンやテンキー（いずれも図示せず）からの数値入力により、変倍命令を受け付けたと判断した場合には（ステップＳ２０７のＹｅｓ）、入力に従って倍率を決定し（ステップＳ２０８）、その倍率で表示パネル１５ｂに表示する予想画像情報を画面情報生成部１３２に生成させる（ステップＳ２０２）。
【００９２】
また、操作者が印刷を実行すると判断した場合にタッチパネル１５ａの実行ボタンを押下するなどにより、印刷命令を受け付けたと判断した場合には（ステップＳ２０９のＹｅｓ）、プリンタ１４に印刷を実行させ、仕上げ処理部１４１に仕上げ処理を施させる（ステップＳ２１３）。
【００９３】
一方、印刷命令を受け付けたと判断しない場合に（ステップＳ２０９のＮｏ）、操作者がタッチパネル１５ａに触れて接触入力を行い、座標情報取得部１３１が座標情報を取得した場合には（ステップＳ２１０のＹｅｓ）、取得した座標情報が仕上がり予想画像とともに表示パネル１５ｂに表示されている特定領域であるか否かを判断する（ステップＳ２１１）。
【００９４】
取得した座標情報が仕上がり予想画像とともに表示パネル１５ｂに表示されている特定領域でない場合には（ステップＳ２１１のＮｏ）、ステップＳ２０７に戻る。
【００９５】
一方、取得した座標情報が仕上がり予想画像とともに表示パネル１５ｂに表示されている特定領域である場合には（ステップＳ２１１のＹｅｓ）、特定領域に対応付けられた処理を実行し（ステップＳ２１２：処理実行手段）、ステップＳ２０７に戻る。特定領域に対応付けられた処理とは、例えば仕上がり予想画像の文字色を変更する処理や特定領域の削除、拡大／縮小などの処理である。
【００９６】
その後、操作者が印刷を実行すると判断した場合にタッチパネル１５ａの実行ボタンを押下するなどにより、印刷命令を受け付けたと判断した場合には（ステップＳ２０９のＹｅｓ）、プリンタ１４に印刷を実行させ、仕上げ処理部１４１に仕上げ処理を施させる（ステップＳ２１３）。
【００９７】
このように本実施の形態によれば、表示パネル１５ｂにおける表示サイズに基づいて画像データを構成する構成要素についての抽出レベルを指定することにより、さらに画像データに対する処理についての処理領域指定の簡便化を図ることができる。
【００９８】
［第３の実施の形態］
次に、本発明の第３の実施の形態を図１０および図１１に基づいて説明する。なお、前述した第１の実施の形態または第２の実施の形態と同じ部分は同じ符号で示し説明も省略する。
【００９９】
本実施の形態は、特定領域抽出部２２で抽出する特定領域の指定（すなわち、レベルの指定）を、編集機能（例えば、領域削除、領域移動、領域反転など）に応じて切り替えるようにしたものである。
【０１００】
図１０は、本実施の形態に係る画像形成処理の流れを示すフローチャートである。図１０に示すように、画像形成処理は、入力された画像データを画像記憶部１２に記憶させた後（ステップＳ３０１）、倍率を決定する（ステップＳ３０２）。
【０１０１】
ここで、ステップＳ３０２における倍率決定方法について説明する。本実施の形態においては、特定領域抽出部２２で抽出する特定領域に対応する編集機能に応じて倍率（表示サイズ）を決定する。具体的には、編集機能（例えば、特定領域の削除など）とその時の表示サイズとの対応を、図１１に示すようなテーブルＴ２に従って決定する。テーブルＴ１によれば、“段落削除”、“表削除”、“絵削除”、“写真削除”、“仕切り線削除”が指定されている場合には表示サイズとして１００％が指定され、“文章削除”が指定されている場合には表示サイズとして１２５％が指定され、“単語削除”が指定されている場合には表示サイズとして１５０％が指定され、“文字削除”が指定されている場合には表示サイズとして１７５％が指定されている。すなわち、図１１に示すようなテーブルＴ２によれば、編集機能（例えば、特定領域の削除など）の対象となる特定領域として細かな領域が指定される程、表示サイズが拡大されることになる。なお、操作開始時には、編集機能（例えば、特定領域の削除など）の対象となる特定領域は、“段落”が設定されている。この倍率に基づいて図９に示したようなテーブルＴ１を検索することにより、画像データを構成する特定領域（構成要素）についての抽出レベルを指定することができる。
【０１０２】
その後、ステップＳ３０２で決定した倍率で表示パネル１５ｂに表示する予想画像情報を画面情報生成部１３２に生成させ（ステップＳ３０３）、予想画像情報に基づく仕上がり予想画像を表示パネル１５ｂに表示させるとともに（ステップＳ３０４）、編集機能に基づいて特定領域抽出部２２で抽出する特定領域の指定を行った後（ステップＳ３０５）、特定領域抽出部２２によって特定領域を抽出させ（ステップＳ３０６）、抽出された特定領域を仕上がり予想画像とともに表示パネル１５ｂに表示させる（ステップＳ３０７）。ここに、構成要素抽出手段及び構成要素表示手段の機能が実行される。
【０１０３】
ここで、操作者が編集機能を変更したいと判断した場合に、画面上に用意されている機能変更ボタン（図示せず）の入力により、機能変更命令を受け付けたと判断した場合には（ステップＳ３０８のＹｅｓ）、入力に従って倍率を決定し（ステップＳ３０２）、その倍率で表示パネル１５ｂに表示する予想画像情報を画面情報生成部１３２に生成させる（ステップＳ３０３）。
【０１０４】
また、操作者が印刷を実行すると判断した場合にタッチパネル１５ａの実行ボタンを押下するなどにより、印刷命令を受け付けたと判断した場合には（ステップＳ３０９のＹｅｓ）、プリンタ１４に印刷を実行させ、仕上げ処理部１４１に仕上げ処理を施させる（ステップＳ３１３）。
【０１０５】
一方、印刷命令を受け付けたと判断しない場合に（ステップＳ３０９のＮｏ）、操作者がタッチパネル１５ａに触れて接触入力を行い、座標情報取得部１３１が座標情報を取得した場合には（ステップＳ３１０のＹｅｓ）、取得した座標情報が仕上がり予想画像とともに表示パネル１５ｂに表示されている特定領域であるか否かを判断する（ステップＳ３１１）。
【０１０６】
取得した座標情報が仕上がり予想画像とともに表示パネル１５ｂに表示されている特定領域でない場合には（ステップＳ３１１のＮｏ）、ステップＳ３０８に戻る。
【０１０７】
一方、取得した座標情報が仕上がり予想画像とともに表示パネル１５ｂに表示されている特定領域である場合には（ステップＳ３１１のＹｅｓ）、特定領域に対応付けられた処理を実行し（ステップＳ３１２：処理実行手段）、ステップＳ２０７に戻る。特定領域に対応付けられた処理とは、例えば仕上がり予想画像の文字色を変更する処理や特定領域の削除、拡大／縮小などの処理である。
【０１０８】
その後、操作者が印刷を実行すると判断した場合にタッチパネル１５ａの実行ボタンを押下するなどにより、印刷命令を受け付けたと判断した場合には（ステップＳ３０９のＹｅｓ）、プリンタ１４に印刷を実行させ、仕上げ処理部１４１に仕上げ処理を施させる（ステップＳ３１３）。
【０１０９】
このように本実施の形態によれば、編集機能（例えば、特定領域の削除など）に応じて画像データを構成する構成要素についての抽出レベルを指定することにより、さらに画像データに対する処理についての処理領域指定の簡便化を図ることができる。
【図面の簡単な説明】
【０１１０】
【図１】本発明の第１の実施の形態にかかる複合機の機能ブロック図である。
【図２】複合機が画像データを入力して生成した仕上がり予想画像の一例を示す模式図である。
【図３】仕上がり予想画像上に特定領域を示す枠を重ね合わせて表示した一例を示す模式図である。
【図４】文字領域と写真領域とがそれぞれ抽出された一例を示す模式図である。
【図５】段落領域と写真領域とがそれぞれ抽出された一例を示す模式図である。
【図６】画像形成処理の流れを示すフローチャートである。
【図７】特定領域に対応付けられた処理を一覧表示したバルーン表示を示す模式図である。
【図８】本発明の第２の実施の形態に係る画像形成処理の流れを示すフローチャートである。
【図９】表示サイズとその時に表示される特定領域とを対応付けるテーブルを示す模式図である。
【図１０】本発明の第３の実施の形態に係る画像形成処理の流れを示すフローチャートである。
【図１１】編集機能とその時の表示サイズとを対応付けるテーブルを示す模式図である。
【符号の説明】
【０１１１】
１０      画像処理装置
１５      情報入出力装置
１５ａ    情報入力装置
１５ｂ    表示装置
【図１】
2007082021.tif 000003
【図２】
2007082021.tif 000004
【図３】
2007082021.tif 000005
【図４】
2007082021.tif 000006
【図５】
2007082021.tif 000007
【図６】
2007082021.tif 000008
【図７】
2007082021.tif 000009
【図８】
2007082021.tif 000010
【図９】
2007082021.tif 000011
【図１０】
2007082021.tif 000012
【図１１】
2007082021.tif 000013